(57)【要約】【技術課題】  カラーグラデーション効果により美しく、個性的なメイクができるマスカラセットを提供する。【解決手段】  本マスカラセットは、平面が円弧状に形成されたベース２の一面に、複数列に３、３ａ、３ｂ植毛すると共に前記ベース２の長手方向の端に摘み４を取り付けて成るブラシ１と、円弧状に形成された一面に、複数列にマスカラ液収容凹部８、９、１０を形成して成るマスカラパレット７とから成り、まつ毛Ａに対して、その根元、中間、毛先に色の違ったマスカラを列状にコーティング可能にする。このようにまつ毛の根元、中間、毛先において色分けを行うと、カラーグラデーション効果により、ファッション性に富み、美しく、個性的な目元を演出することができる。【選択図】        図  ２
2007014672.tif 000002
【特許請求の範囲】
【請求項１】
複数列に植毛され、かつ長手方向の一方端に摘みが取り付けられたブラシと、
複数列にマスカラ液収容凹部を形成し、この収容凹部内に色の違うマスカラ液を収容して成るマスカラパレットと、
から成るマスカラセット。
【請求項２】
前記ブラシにおいて、植毛は平板状のベース板の一面に対して植立されていることを特徴とする請求項１に記載のマスカラセット。
【請求項３】
前記ベース板において、植毛された複数列の境界には、セパレーターが設けられていることを特徴とする請求項２に記載のマスカラセット。
【請求項４】
前記ベース板は、植毛された複数列間において、分割されていることを特徴とする請求項２に記載のマスカラセット。
【請求項５】
前記ブラシは、複数本の棒状体にそれぞれ植毛した構成から成ることを特徴とする請求項１に記載のマスカラセット。
【請求項６】
前記ブラシの植毛列及びマスカラパレットのマスカラ液収容凹部の列は、円弧状に形成されていることを特徴とする請求項１〜５の何れか１項に記載のマスカラセット。
【請求項７】
前記ブラシの植毛及びパレットのマスカラ液収容凹部は、二列又は三列又は四列から成ることを特徴とする請求項１〜６の何れか１項に記載のマスカラセット。
【請求項８】
前記ブラシ及びマスカラ液収容凹部の列は、互いに同数の列で構成され、かつ円弧の内側の幅に対し、この外側に位置する列の幅は、順に小さくなるように形成されていることを特徴とする請求項７に記載のマスカラセット。
【請求項９】
前記ブラシの摘みは、円弧状のベースの長手方向の一端の一方又は双方に取り付けられていることを特徴とする請求項１〜８の何れか１項に記載のマスカラセット。
【請求項１０】
まつ毛の根元側と中間及び毛先側又はまつ毛の根元側と毛先側が複数段に色分けされていることを特徴とするつけまつ毛。
【発明の詳細な説明】
【技術分野】
【０００１】
本願発明は、まつ毛の根元側と中間、そして毛先側又は根元側と毛先側において、マスカラ液を色分けして簡単にコーティングすることができるマスカラセット及びつけまつ毛に関するものである。
【背景技術】
【０００２】
従来のマスカラ液には、ブラック、ブラウン、ダークネイビー、ラメ等があり、これらのマスカラ液をコーティングするブラシの形態はスティック（筒形）タイプで、１本１色であることから、メイクする場合は、単色を用いたコーティングであった。
しかし、まつ毛全体が単色でメイクされた場合、ファッション的に変化が乏しく、また目元に個性を出すためには、まつ毛の根元から毛先にかけても色の変化、あるいは明度差等をつけることができると、カラーグラデーション効果を得て個人の美的センスのバリエーションが多くなり、個性的なメイク及び目元を演出することが可能になる。
しかし、前記のように、従来のマスカラは、すべて１本１色であることから、まつ毛の根元と毛先のカラーを変えたりするコーティングは出来ない。
【発明の開示】
【発明が解決しようとする課題】
【０００３】
本発明は斯る点に鑑みて提供されるものであって、まつ毛の根元から毛先にかけて色彩的に変化をつけてカラーグラデーション効果を得てファッション性に富んだ個性的なメイクにより目元を演出できるマスカラセットを提供するのが目的である。
【課題を解決するための手段】
【０００４】
上記目的を達成するため、請求項１に記載の発明においては、マスカラセットにおいて、複数列に植毛され、かつ長手方向の一方端に摘みが取り付けられたブラシと、
複数列にマスカラ液収容凹部を形成し、この収容凹部内に色の違うマスカラ液を収容して成るマスカラパレットと、
から成ることを特徴とするものである。
【０００５】
更に、請求項２に記載の発明においては、前記ブラシにおいて、植毛は平板状のベース板の一面に対して植立されていることを特徴とするものである。
【０００６】
更に、請求項３に記載の発明においては、前記ベース板において、植毛された複数列の境界には、セパレーターが設けられていることを特徴とするものである。
このように、セパレーターが設けられていると、色の境界を明確に区分することができる。
【０００７】
更に、請求項４に記載の発明においては、請求項２に記載のマスカラセットにおいて、前記ベース板は、植毛された複数列間において、分割されていることを特徴とするものである。
【０００８】
更に、請求項５に記載の発明においては、請求項１に記載のマスカラセットにおいて、前記ブラシは、複数本の棒状体にそれぞれ植毛した構成から成ることを特徴とするものである。
【０００９】
更に、請求項６に記載の発明においては、請求項１〜５の何れか１項に記載のマスカラセットにおいて、前記ブラシの植毛列及びマスカラパレットのマスカラ液収容凹部の列は、円弧状に形成されていることを特徴とするものである。
このように、円弧状を呈していると、使い易くなる。
【００１０】
更に、請求項７に記載の発明においては、請求項１〜６の何れか１項に記載のマスカラセットにおいて、前記ブラシの植毛及びパレットのマスカラ液収容凹部は、二列又は三列又は四列から成ることを特徴とするものである。
【００１１】
更に、請求項８に記載の発明においては、請求項７に記載のマスカラセットにおいて、前記ブラシ及びマスカラ液収容凹部の列は、互いに同数の列で構成され、かつ円弧の内側の幅に対し、この外側に位置する列の幅は、順に小さくなるように形成されていることを特徴とするものである。
このように、幅を変えることにより、より効果的なメイクが可能になる。
【００１２】
更に、請求項９に記載の発明においては、請求項１〜８の何れか１項に記載のマスカラセットにおいて、前記ブラシの摘みは、円弧状のベースの長手方向の一端の一方又は双方に取り付けられていることを特徴とするものである。
このように摘みの位置に工夫を凝らすことにより、左及び右のまつ毛に対して使い易くなる。
【００１３】
更に、請求項１０に記載の発明においては、つけまつ毛において、まつ毛の根元側と中間及び毛先側又はまつ毛の根元側と毛先側が複数段に色分けされていることを特徴とするものである。
【００１４】
〔作用〕
マスカラパレットの各マスカラ液収容凹部の列には、色の違うマスカラ液が収容されており、ブラシにこのマスカラ液をつける場合は、マスカラパレットに対してブラシの毛先側を下にして合わせ、ブラシを小さく往復動させる。このようにすると、ブラシには、マスカラパレット側に収容されたカラーの列に習ったマスカラ液が付着する。
メイクに際しては、まつ毛の表（上）又は裏（下）にブラシを合わせ、まつ毛の円弧（横方向）に沿ってブラシを少し動かすと、まつ毛には、ブラシに列状についたカラーがコーティングされる。
【発明の効果】
【００１５】
本発明に係るマスカラセットは、以上のように、まつ毛の根元から毛先にかけてカラーの違うマスカラ液をコーティングすることができるため、カラーグラデーション効果により、奥行きのある、従来では表現できなかった目元の化粧ができる。
この結果、個性的でファッショナブルな目元の演出が可能となり、利用者には、化粧の楽しさが倍増する効果がある。
また、本発明の場合、ブラシ及びマスカラパレットが円弧状を呈しているため、まつ毛が生えている方向に対してコーティングがしやすい効果がある（請求項６）。
【００１６】
また、本発明の場合、ブラシ及びマスカラパレットのマスカラ収容凹部が多列に構成されているため、カラーの境界づくりが容易となり、グラデーション効果をより高めることができる（請求項７）。
また、つけまつ毛の色が毛先方向において変化しているため、個性的な目元の演出が可能になると共にこのつけまつ毛をつけた後でのマスカラ液のコーティングがより映える効果がある（請求項１０）。
【実施例１】
【００１７】
以下に、図を用いて本発明の実施例を詳細に説明する。図１は本発明に係るブラシを示す斜視図、図２はマスカラパレットと、この上に図１に示すブラシを持って来て、カラーをブラシにつける直前の様子を示す説明図、図３は、カラーをブラシにつけている状態を示す断面図、図４はセパレーター及び周囲に縁を設けないブラシの説明図、図５はまつ毛に本発明に係るブラシを用いてマスカラ液をコーティングしている状態の説明図、図６はブラシにおいて、植毛を３：２：１の割合でセパレートした状態の説明図、図７はまつ毛において、根元側から３：２：１の割合で色の違うマスカラ液がコーティングされた状態の説明図、図８（Ａ）（Ｂ）はブラシのベースを列ごとに分割した実施例の説明図である。
【００１８】
これら各図において、符号の１はブラシであって、このブラシは、円弧状に形成したベース２の上面に、円弧の内縁側から３：２：１の幅で３列に形成された植毛３、３ａ、３ｂされた構成である。４は摘みである。なお、この摘み４は、ベース２の端の一方又は双方に取り付けても良く、又は双方にねじ孔又は嵌合孔を形成しておいて、１本の摘み４を使用時に使い易いように付け換えて使用できるように構成してもよい。５、６は、前記植毛３、３ａ、３ｂの根元の部分をセパレートするセパレーターである。但し、このセパレーター５、６及び周縁は、図４に示すように無しにしても良い。
【００１９】
７はマスカラパレットであって、このマスカラパレット７は、前記ブラシ１と同じように円弧状に形成されていて、上面にはマスカラ液収容凹部８、９、１０が形成されており、この上面は開放されたままである。但し、使用しない場合、あるいは携帯時には図示しない蓋が被せられる。ａ、ｂ、ｃは前記マスカラ液収容凹部８、９、１０に収容されたマスカラ液であり、本実施例においてマスカラ液ａは黒色、ｂはグレー、ｃはラメとなっている。
但し、この色の組み合わせは任意である。又、上記実施例１の場合、３段階のカラー方式であるが２段階に構成しても良く、又、幅の比も任意である。又、まつ毛の長さあるいは下まつ毛用に対応するため、本マスカラセットは、サイズが複数種類用意される。
【００２０】
次に、上記構成から成るマスカラセットについて、その使用例を説明する。先ず、図２に示すように、マスカラパレット７の上にブラシ１を持って来て、図３に示すように、ブラシ１をマスカラ液収容凹部８、９、１０上に合わせ、静かに円弧方向にブラシ１を往復動させて、植毛３、３ａ、３ｂにマスカラ液ａ、ｂ、ｃを付ける。この時、ブラシ１は、マスカラパレット側の円弧に合わせて円弧運動になるように気をつけないと、ブラシ１の植毛３、３ａ、３ｂにマスカラ液ａ、ｂ、ｃが列状に付かず、境目が混り合うので、注意する必要がある。但し、境目をハッキリとさせたくない場合には、多少混り合うようなブラシ１の動きとしても良い。
【００２１】
このようにしてブラシ１にマスカラ液ａ、ｂ、ｃが付着したなら、図５に示すようにまつ毛Ａの表側にブラシ１を柔らかく当て、ブラシ１の円弧方向にブラシ１を静かに往復運動させて、マスカラ液ａ、ｂ、ｃをコーティングする。まつ毛Ａについて表側のコーティングが終ったなら、次に同じようにしてまつ毛Ａの裏側をコーティングする。
図６はまつ毛Ａにマスカラ液ａ、ｂ、ｃをコーティングしている状態の拡大図であって、ブラシ１において、列状の黒色のマスカラ液ａの巾ａ1は、図７に示すように、まつ毛Ａの根元部分ａ2にコーティングされ、マスカラ液ｂの巾ｂ1はまつ毛Ａの中間部分ｂ2にコーティングされ、マスカラ液ｃの巾ｃ1はまつ毛Ａの毛先部分ｃ2にコーティングされる。
この結果、まつ毛Ａは、根元ａ2が黒く、中間ｂ2がグレーで、毛先ｃ2がラメ調に仕上がり、グラデーション効果により、美しく大きな瞳を演出することができる。
【実施例２】
【００２２】
本実施例２は、図８（Ａ）（Ｂ）に示すようにブラシ１のベース２の形状を３本（Ａ）又は２本形成した例であり、植毛３、３ａ、３ｂの列をセパレーター５、６を用いずに分けた例である。
なお、ベース２は、棒状を呈していてもよく、材質は金属（針金を捲いたもの）でもよい。
【実施例３】
【００２３】
本実施例３は、図９に示すようにつけまつ毛１０に関するもので、このつけまつ毛１０に、２段又は３段に色や質感の違うマスカラをコーティングすることができ、本実施例は請求項１０に記載した発明に対応している。
【産業上の利用可能性】
【００２４】
本発明に係るマスカラセットは、人の化粧用以外に、各種人形（おもちゃ）の化粧用具としてもその大きさを工夫することにより実施化が可能であり、本発明は、このような人形用にも適用することができる。
【図面の簡単な説明】
【００２５】
【図１】ブラシの説明図
【図２】マスカラパレットとブラシの説明図
【図３】ブラシにマスカラ液をつけている状態の説明図
【図４】セパレーターのないブラシの説明図
【図５】まつ毛にマスカラ液をつけている状態の説明図
【図６】まつ毛とブラシの関係を示す説明図
【図７】まつ毛につけられたマスカラ液の状態を示す説明図
【図８】ブラシベースの変形例の説明図であって、（Ａ）は３本、（Ｂ）は２本の例である。
【図９】つけまつ毛の説明図
【符号の説明】
【００２６】
１  ブラシ
３、３ａ、３ｂ  植毛
４  摘み
７  マスカラパレット
ａ、ｂ、ｃ  マスカラ液
１０  つけまつ毛
【図１】
2007014672.tif 000003
【図２】
2007014672.tif 000004
【図３】
2007014672.tif 000005
【図４】
2007014672.tif 000006
【図５】
2007014672.tif 000007
【図６】
2007014672.tif 000008
【図７】
2007014672.tif 000009
【図８】
2007014672.tif 000010
【図９】
2007014672.tif 000011